(57)【特許請求の範囲】
【請求項１】
鍵盤部を備える楽器本体部を当該左右において支持する左脚体及び右脚体を有する電子鍵盤楽器において、
前記左脚体及び前記右脚体の間に平坦を保持する形態に加えて、折れ曲がりまたは湾曲を保持する形態を有し、両形態間で形態が変化する面スピーカが配設される、
ことを特徴とする電子鍵盤楽器。
【請求項２】
前記面スピーカは、複数の面スピーカに分割されたものであり、
分割された複数の面スピーカは、各分割された面スピーカの周縁部が枠体に支持されることにより、複数の面スピーカパネルを構成し、
該複数の面スピーカパネルは、各面スピーカパネルの枠体が隣接し、隣接した枠体が連結部材により相互に連結されることにより、一連の面スピーカパネルとなるものであり、
該一連の面スピーカパネルは、当該上端部が前記左脚体及び前記右脚体の間に支持され、当該下端部が自由端となるものであり、
前記一連の面スピーカパネルは、前記分割された複数の面スピーカが、全体として平坦を保持する形態と全体として折れ曲がりまたは湾曲を保持する形態とを有し、両形態間で形態が変化するものである、
ことを特徴とする請求項１に記載の電子鍵盤楽器。
【請求項３】
前記全体として折れ曲がりまたは湾曲を保持する形態は、前記全体として折れ曲がりを保持する形態に限定され、
前記左脚体及び前記右脚体にそれぞれ案内部材が設けられ、
前記一連の面スピーカパネルは、前記案内部材により移動規制される被案内部材を有し、
前記複数の面スピーカパネルは、前記被案内部材が前記案内部材により移動規制されながら相対移動することにより、前記分割された複数の面スピーカが、全体として平坦を保持する形態と全体として折れ曲がりを保持する形態との間で、形態が変化する、
ことを特徴とする請求項２に記載の電子鍵盤楽器。
【請求項４】
前記面スピーカを沿わせて折り曲げる案内部材と、
前記面スピーカの下端部に結合する結合部材を有し、
前記面スピーカは、当該上端部が前記左脚体及び前記右脚体の間に固定され、当該下端部が自由端となるものであり、
前記面スピーカは、前記案内部材に沿って折れ曲がった後に当該面スピーカの下端部が前記結合部材に結合することにより、前記平坦を保持する形態から前記折れ曲がりまたは湾曲を保持する形態に変化する、
ことを特徴とする請求項１に記載の電子鍵盤楽器。
【発明の詳細な説明】
【技術分野】
【０００１】
本発明は、静電型の面スピーカが筐体外に外付けされる電子鍵盤楽器に関するものである。
【背景技術】
【０００２】
電気音響変換器として、厚みの薄い面スピーカが知られている。例えば、電極間に電圧を印加しクローン力を利用して駆動する静電型スピーカ（コンデンサスピーカともいう）や、圧電特性を有するフィルムを用いたものなどが知られている。
面スピーカは、平板の面積を広くとるほど、音の指向性が平板に垂直な方向に強くなり、その結果、音が遠くまで到達する。
【０００３】
このうち、静電型スピーカとして、最近注目されているものは、薄型フレキシブル（flexible）静電型スピーカである。これは、薄型・軽量であるとともに、柔軟性があるため、曲げることが可能で、曲げた後に応力が残らず、元の形状に戻りにくいという性質がある（特許文献１，２等参照）。
このような特徴を活用して、複数個の静電型スピーカを折り曲げ可能に連結することにより、カーテンスピーカを実現し、音場を自在にコントロールできるようにしたものが知られている（特許文献２）。
しかし、静電型スピーカのような面スピーカを、その特色を活用して電子鍵盤楽器に採用することまでは検討されていない。
【先行技術文献】
【特許文献】
【０００４】
【特許文献１】特開２０１０−６８０５３号公報
【特許文献２】特開２００８−２８６５２号公報
【発明の概要】
【発明が解決しようとする課題】
【０００５】
本発明は、上述した問題点を解決するためになされたもので、面スピーカの配設構造を工夫することにより、薄型で柔軟性のある面スピーカの特長を活用した電子鍵盤楽器を提供することを目的とするものである。
【課題を解決するための手段】
【０００６】
まず、鍵盤部を備える楽器本体部を当該左右において支持する左脚体及び右脚体（図１、図８の２）を有する電子鍵盤楽器について説明しておく。
面スピーカ（図１の１４1〜１４4、図８の１１２）を前記左脚体及び前記右脚体の間で面一を含む任意の形に保持する保持部（図２の１１ｂ，２３、図９（ａ）の１１７，１１５、図９（ｂ）の１１７〜１２０、図９（ｃ）の１１７，１１８，１２１）を有し、該保持部にて前記面スピーカを保持することで、該面スピーカの面状態が変化して、変化したその状態で該面スピーカが配設されるものである。
このように左脚体と右脚体との間に面スピーカを配設することにより、演奏者に対して音の伝搬効率がよくなる。
【０００７】
面スピーカは、近似的に２次元面と見なせるような厚みの薄いスピーカであって、平坦で薄い平板形状であるが、薄い平板を湾曲させた曲面、さらには、任意の曲面や、折り曲げ面を形成した面スピーカなど、任意の形態の面スピーカも可能である。
請求項１に記載の発明における保持部が、左脚体及び右脚体の間に配設された平坦で薄い平板形状の面スピーカを保持することで、この面スピーカの面状態が変化して、面スピーカが、変化した後の、面一を含む任意の形態を維持するように保持される。
【０００８】
面スピーカが面一（平坦）である場合、面スピーカは、平面波を発生するので、聴取位置が電子鍵盤楽器から遠ざかっても減衰が少なく、よく聞こえる。一方、聴取位置が電子鍵盤楽器の至近位置になってもうるさく感じられない。
面スピーカの音圧は、低音域が大きく減衰し、周波数が高くなるに従い音圧が大きくなるが、中高音域は面積干渉により平坦な周波数特性を呈する。ここで、面スピーカの面積（振動板の面積）を広くするに従って、面積分だけ低音域の音圧が上がる。
【０００９】
電子鍵盤楽器は、鍵盤部の鍵配列方向の幅が長い。そのため、面スピーカの一辺が鍵配列方向に沿うように、左脚体と右脚体との間に、面スピーカを配設すれば、面スピーカの面積を広くとることができる。
また、アップライト型の電子鍵盤楽器は、演奏者の身長に見合う高さがある。そのため、面スピーカの一辺が筐体の高さ方向に沿うように、面スピーカの上端を左脚体と右脚体との間の上部位置に配設すれば、面スピーカの面積を広くとることができる。
一方、湾曲面が形成された湾曲面スピーカである場合、湾曲面の凸面側においては、音波の指向角が広角になり、湾曲面の凹面側においては、音波が集束する。
なお、楽器本体部を左右において支持する左脚体と右脚体とは、棒状の脚体に限らず、左右の側板が脚体を兼ねるものでもよい。
【００１０】
本発明は、請求項１に記載の発明においては、鍵盤部を備える楽器本体部を当該左右において支持する左脚体及び右脚体（図１、図８の２）を有する電子鍵盤楽器において、前記左脚体及び前記右脚体（２）の間に平坦を保持する形態（図２（ａ）、図９（ａ））に加えて、折れ曲がりまたは湾曲を保持する形態（図２（ｂ），（ｃ）、図９（ｂ），（ｃ））を有し、両形態間で形態が変化する面スピーカ（図１の１４1〜１４4、図８の１１２）が配設されるものである。
このように左脚体と右脚体との間に面一を保持する形態の面スピーカを配設することにより、演奏者に対して音の伝搬効率がよくなる。
【００１１】
面スピーカが面一を保持する形態のときは、平面波に近い音波が出力される。しかし、面スピーカが折れ曲がりを保持する形態では、音の出力方向が面内の領域によって一致しなくなるため、折れ曲がり形状に応じて、面スピーカが面一のときの平面波よりも指向角が広角になったり、複数の方向に指向角を有したりする。
従って、面スピーカの保持形態に応じて、音の伝搬方向を様々に変化させることができる。その結果、演奏者や聴取者のいる方向に音がよく伝搬するようにすることが可能となる。
上述した面スピーカは、少なくとも１つの面スピーカユニットを有し、該面スピーカユニットは、柔軟性を有し折り曲げ可能なものである。
従って、面スピーカは薄く表面積が大きいので、そのままでは収納に困る場合がある。しかし、柔軟性を有し折り曲げ可能であることから、面スピーカを、折れ曲がりを保持する形態にすれば、面スピーカの不使用時に、面スピーカを収納したり、小さくまとめて保管したりすることができる。面スピーカを折り畳むことができるようにすれば、さらに、収納や保管の効率がよくなる。
【００１２】
本発明は、請求項２に記載の発明においては、請求項１に記載の電子鍵盤楽器において、前記面スピーカは、複数の面スピーカに分割されたもの（図１の１４1〜１４4）であり、分割された複数の面スピーカ（１４1〜１４4）は、各分割された面スピーカの周縁部が枠体（１５1〜１５4）に支持されることにより、複数の面スピーカパネル（１３1〜１３4）を構成し、該複数の面スピーカパネル（１３1〜１３4）は、各面スピーカパネルの枠体（１５1〜１５4）が隣接し、隣接した枠体が連結部材（図２の２４，２５，２６）により相互に連結されることにより、一連の面スピーカパネルとなるものであり、該一連の面スピーカパネルは、当該上端部（図２の２８）が前記左脚体及び前記右脚体（２）の間、例えば、その上部位置に支持され、当該下端部（図２の２７）が自由端となるものであり、前記一連の面スピーカパネル（１３1〜１３4）は、前記分割された複数の面スピーカ（１４1〜１４4）が、全体として平坦を保持する形態と全体として折れ曲がりまたは湾曲を保持する形態とを有し、両形態間で形態が変化するものである。
このように、面スピーカを複数の面スピーカに分割し、分割された各面スピーカの周縁部が枠体に支持されることにより、単に、面スピーカの強度が増すだけでなく、折れ曲がりを保持する形態に変えるときに、面スピーカの取扱いが容易になる。
【００１３】
本発明は、請求項３に記載の発明においては、請求項２に記載の電子鍵盤楽器において、前記全体として折れ曲がりまたは湾曲を保持する形態は、前記全体として折れ曲がりを保持する形態に限定され、前記左脚体及び前記右脚体（２）にそれぞれ案内部材（図２の２３）が設けられ、前記一連の面スピーカパネル（１３1〜１３4）は、前記案内部材により移動規制される被案内部材（図２の２５，２７）を有し、前記複数の面スピーカパネル（１３1〜１３4）は、前記被案内部材が前記案内部材（図２の２３）により移動規制されながら相対移動することにより、前記分割された複数の面スピーカ（１４1〜１４4）が、全体として平坦を保持する形態と全体として折れ曲がりを保持する形態との間で、形態が変化するものである。
このように、複数の面スピーカパネルは、その被案内部材が移動規制されながら相対移動することにより、いつも同じ形態変化をする。特に、分割された面スピーカの個数が３以上であれば、折れ曲がりを保持する形態を、互い違いに折れ曲がる（ジグザグ）形態にすることができる。
ここで、折れ曲がりを保持する形態は、例えば、案内部材に対する被案内部材の結合位置を保持することにより得られたり、隣接した枠体を相互に連結する角度を連結部材が保持することにより得られたりする。
【００１４】
本発明は、請求項４に記載の発明は、請求項１に記載の電子鍵盤楽器において、前記面スピーカ（図８の１１２）を沿わせて折り曲げる案内部材（図９の１１８）と、前記面スピーカの下端部（１１４）に結合する結合部材（１１９）を有し、前記面スピーカ（図９の１１２）は、当該上端部（１１６）が前記左脚体及び前記右脚体（２）の間の、例えば、上部位置に固定され、当該下端部（１１４）が自由端となるものであり、前記面スピーカ（１１２）は、前記案内部材（１１８）に沿って折れ曲がった後に当該面スピーカの下端部（１１４）が前記結合部材（１１８）に結合することにより、前記平坦を保持する形態から前記折れ曲がりまたは湾曲を保持する形態に変化するものである。
従って、面スピーカの柔軟性を利用して、折れ曲がりを保持する形態を簡単に実現することができる。
【００１５】
特に、複数の面スピーカユニット（図６の８１1〜８１5、８３1〜８３4、図１０の１３０Ａ，１３０Ｂ）が連接部（図６の８２，８４ａ，８４ｂ、図１０の１３０Ｃ）により間隔を空けて連設された面スピーカ（８０Ａ，８０Ｂ，１３０）である場合、面スピーカユニットの連接部が、案内部材（１１８）に沿う面に形成されることが好ましい。
連接部は、面スピーカユニットでないため、連接部の柔軟性を増すことが容易である。そのため、連接部に、折り曲げの繰り返しに対し、十分な耐久性を持たせることができる。また、折り曲げの繰り返しに対し、面スピーカユニットが傷まない。従って、面スピーカの耐久性が向上する。
【００１６】
連接部（図１０の１３０Ｃ）は、隣接する面スピーカユニット（１３０Ａ，１３０Ｂ）の前面保護シート（６１）と一体の前面保護シート（６１）、及び、隣接する面スピーカユニット（１３０Ａ，１３０Ｂ）の背面保護シート（６７）と一体の背面保護シート（６７）を少なくとも有し、かつ、隣接する面スピーカユニット（１３０Ａ，１３０Ｂ）の固定電極シート（６２，６５）及び振動電極シート（６４）を少なくとも欠如したものである。連接部（１３０Ｃ）には、固定電極シート、振動電極シートがないので、連接部の柔軟性が増す。従って、連接部において折り曲げ、折り畳みを繰り返しても、固定電極シート、振動電極シートが傷まない。また、連接部において、面スピーカは、前面保護シート、背面保護シートにより内部が保護される。
【００１７】
上述した各請求項の引用記載等において、「発明を特定するための事項」に付した括弧内の符号は、後述する「発明を実施するための形態」における、「発明を特定するための事項」に対応するものに付した符号である。この符号は、「発明を特定するための事項」とその一例との対応を示すにすぎない。「発明を特定するための事項」は、この符号により対応付けられた一例に限定されない。
上述した各請求項に記載の発明において、上述した面スピーカは、静電型に限らず、圧電フィルム型等でもよい。
【発明の効果】
【００１８】
上述した本発明によれば、薄型で柔軟性のある面スピーカを、演奏者に対して音の伝搬効率がよく、かつ、面スピーカの面積を拡げることが可能な位置に配置することができるという効果がある。
【図面の簡単な説明】
【００１９】
【図１】本願発明の第１の実施形態であるアップライトピアノ型電子鍵盤楽器の外観図である。
【図２】図１に示した実施形態における面スピーカ取付構造を示す第１の説明図である。
【図３】図１に示した実施形態におけるヒンジの取付構造を示す第２の説明図である。
【図４】図１に示した実施形態における面スピーカの一具体例である静電型の面スピーカの構造図である。
【図５】図４に示した静電型の面スピーカの第２の具体例を示す部分平面図である。
【図６】図４に示した静電型の面スピーカの第３の具体例を示す部分平面図である。
【図７】図１に示した実施形態における電子鍵盤楽器の機能ブロック図である。
【図８】本願発明の第２の実施形態である、アップライトピアノ型電子鍵盤楽器の外観図である。
【図９】図８に示した実施形態における面スピーカ取付構造を示す説明図である。
【図１０】図８に示した実施形態に適用される静電型の面スピーカの具体例を示す平面図である。
【発明を実施するための形態】
【００２０】
図１は、本願発明の第１の実施形態であるアップライトピアノ型電子鍵盤楽器の外観図である。図１（ａ）は斜視図、図１（ｂ）はそのペダルレバー付近を示す拡大正面図である。
また、図１（ｃ）は面スピーカパネルの長手方向中央の垂直断面図、図１（ｄ）は面スピーカパネルの変形例の長手方向中央の垂直断面図である。
この電子鍵盤楽器は、演奏者から見て右側において、１は脇側面板（側面部）、２は側面板（側面部、右脚体）、３は前脚、４は前脚と側面板２とを接続するステーである。同様の構造が図示左側にもあり、同じ符号を付している。
左右の脇側面板１の間に配置されている鍵盤部は、鍵盤蓋５が閉じているので見えない。図示の鍵盤蓋５は、折り畳み式で、演奏時には後述する上前板７の下部に収納される。
【００２１】
鍵盤部の演奏者側の前面は口棒６であり、鍵盤部の底面は棚板（図２の２１）である。鍵盤部の奥行き側の上部は上前板７であり、その中央に譜面受８が設けられている。上前板７と左右の側面板２と背面板（図２の２２）、これらの上部に天板９が掛け渡され、その中央に譜面板１０（図示の状態は倒れた状態）が設けられている。
【００２２】
足下には、ペダルユニット１１が設けられ、その中央に３本のペダル１２が収容され演奏者側に突き出ている。ペダル１２ｃは中央のペダルである。
図示の左右の側面板（左脚体及び右脚体）２の間において、ペダルユニット１１から鍵盤部の底板（棚板）２１までを、演奏者側から背面側に抜ける吹き抜けとしている。この吹き抜け部に、一連の面スピーカパネル１３1〜１３4が面一（同一の平面上にある）を保持する形態で設けられている。
【００２３】
面スピーカ１４は、４個の面スピーカ１４1〜１４4に分割されている。面スピーカ１４1〜１４4は、周縁部が枠体１５1〜１５4に支持されることにより、面スピーカパネル１３1〜１３4を構成する。
図１（ｃ）に示すように、面スピーカパネル１３1について例示すると、矩形の面スピーカ１４1の背面を矩形の枠体１５1の前面にあてがうことにより、矩形の面スピーカ１４1が矩形の枠体１５1の前面に加えて、上面及び下面を覆う。
図１（ｄ）に示すように、図示の面スピーカパネル１３1は、矩形の面スピーカ１４1の前面と背面の周縁部が、１対の矩形の枠体１５1に挟まれたものでもよい。
なお、図１（ｃ）、図１（ｄ）のいずれにおいても、面スピーカ１４1の周縁部には、固定電極や振動電極を設けないようにすることが望ましい。また、枠体１５1は、木や硬質の合成樹脂のように剛性のあるものであっても、面スピーカと柔軟性がさほど変わらない、軟質の合成樹脂製のものを採用してもよい。
【００２４】
各面スピーカパネル１３1〜１３4は、それぞれの枠体１５1〜１５4が隣接し、隣接した枠体１５1〜１５4が、図２を参照して後述するヒンジ２４〜２６等の連結部材で相互に連結されることにより、一連の面スピーカパネル１３1〜１３4となっている。
従って、図２を参照して後述するように、一連の面スピーカパネル１３1〜１３4は、面一を保持する形態に加えて、折れ曲がりを保持する形態を有し、形態が変化するものである。
【００２５】
一連の面スピーカパネル１３1〜１３4は、その上端面、図示の例では、面スピーカパネル１３1の枠体１５1の上縁部の左右端が左側面板（左脚体）２及び右側面板（右脚体）２の間の上部位置に固定される。また、一連の面スピーカパネル１３1〜１３4は、その下端面、図示の例では、面スピーカパネル１３4の枠体１５4の下端面が自由端となり、この左右端部にヒンジ２７、この下端部の中央に掛止具（フック）１６が取り付けられている。
掛止具１６は、例えば、後述する図２に示されているように、その根元部がヒンジ（軸のみを示す）１６ｂにより、上述した枠体１５4の下端面に取り付けられ、その先端部が直角に曲がることにより係止片１６ａとなったものである。上述した根元部のヒンジ１６ｂは、枠体１５4の下端面に平板（ヒンジの羽根）を一本のネジ部材で緩く取り付けることにより、枠体１５4の下端面に対し、平板自体もネジ部材を中心に回転可能にする。
【００２６】
図１（ｂ）に示すように、ペダルユニット１１は、静止位置にある中央のペダル１２ｃを収容する切り欠き１１ａを有する。演奏者がペダル１２ｃを踏み込むとペダル１２ｃは、図示１２ｃ’のように床面１７に近づき、ペダル１２ｃが離されると静止位置に戻る。
この切り欠き１１ａの上端中央からペダルユニット１１の上端面まで、奥側に凹んだ窪み１１ｃが形成され、さらに、この窪み１１ｃの切り欠き１１ａ側に、切り欠き１１ｂが形成されている。
演奏者が、先に説明した掛止部１６を窪み１１ｃに嵌め込み、掛止部１６の係止片１６ａを切り欠き１１ｂに差し込むことにより、掛止部１６が係着される。その結果、一連の面スピーカパネル１３1〜１３4、及び、面スピーカ１４1〜１４4が、図１（ａ）に示すような面一の状態を保持するようにする。
【００２７】
再び図１（ａ）に戻って説明を続ける。ダイナミック型コーンスピーカ１８，１９は、上前板７をバッフル板として、その左右領域に分かれて設けられている。以下、ダイナミック型コーンスピーカを、単に「コーンスピーカ」という。上前板７の表面には、音響透過性のあるパンチングメタル板、ネット、又は、スピーカグリルが設けられる（図示省略）。
コーンスピーカ１８，１９には、ステレオの駆動信号が供給される。右側のコーンスピーカ１９を無くして、鍵盤の低音域側に対応する左側のコーンスピーカ１８だけにしてもよい。コーンスピーカ１８，１９は、上前板７に設ける場合に限らず、図示しない棚板にスピーカの前面開口部を下向きにして配置してもよい。
【００２８】
上述した脇側面板１、側面板２、天板９、棚板（底面部）（図２の２１）、口棒６、上前板７、背面板（図２の２２）が楽器筐体となる。これに、鍵盤部と内部空間を有するものが楽器本体部である。この楽器本体部に、前脚３、ステー４、ペダルユニット１１、及び、面スピーカパネル１１１を加えたものが電子鍵盤楽器となる。
楽器本体部は、ユーザの鍵操作により楽音信号を生成する楽音信号生成部を内蔵する。
楽音信号生成部により生成された楽音信号を増幅し、増幅された楽音信号を昇圧トランスにより昇圧し、高電圧のバイアス電圧が重畳されたものが面スピーカ１４1〜１４4の駆動信号となる。駆動信号は図示しない出力コードを介して、各枠体１５1〜１５4に設けられた図示しない端子を介して面スピーカ１４1〜１４4の各固定電極、振動電極に供給される。面スピーカ１４1〜１４4は、楽音信号生成部から出力される楽音信号に応じた音を出力する。
【００２９】
図２は、図１に示した実施形態における面スピーカ取付構造を示す第１の説明図である。図１において、右側の側面板２を除去したときに右側面から見える、一連の面スピーカパネル１３1〜１３4と左側の側面板２とを図示している。
図面を簡単にするため、面スピーカパネル１３1〜１３4を矩形で表示し、面スピーカ１４1〜１４4及び枠体１５1〜１５4の表示を省略する。
図２（ａ）は、各面スピーカパネルが面一を保持する形態を示す説明図である。
図２（ｂ）は、各面スピーカパネルが互い違いの折れ曲がりを保持する形態を示す説明図である。
図２（ｃ）は、各面スピーカパネルが畳み込まれた形状を保持する形態を示す説明図である。畳み込まれた状態は、互い違いの折れ曲がりを保持する形態の極限の形態である。
ユーザが一連の面スピーカパネル１３1〜１３4を手動操作することにより、上述した３種類の保持形態間で形態が変化する。
【００３０】
演奏者が演奏するときや自動演奏のとき、図２（ａ）に示す形態で楽音を発生させる。面スピーカパネル１３1〜１３4で楽音を発生させないとき、図２（ｃ）に示すように、面スピーカパネル１３1〜１３4を折り畳んで収納できる。
また、図２（ｂ）に示す形態で楽音を発生させる場合、演奏者の耳の位置３２において、面スピーカパネル１３2，１３4（面スピーカ１４2，１４4）から出力される直達音D1，D2が、より効果的に受聴される。この場合、図２（ｂ）に示す形態を保持する必要がある。
【００３１】
図中、図１と同様な部分には同じ符号を付している。２１は鍵盤部の底板となる棚板、２２は楽器本体部の背面板である。２３は一連の面スピーカパネル１３1〜１３4の相対移動を規制するガイドレール（案内部材）である。図示の例では、このガイドレール２３は、幅の狭い開口部２３ａが垂直方向に延長されたもので、左右の側面板２の演奏者寄りの領域に垂直方向に形成された溝に嵌め込まれ、開口部２３ａの両側の縁部２３ｂは、側面板２の表面と面一になる。
【００３２】
２４〜２６は、ヒンジ（蝶番、連結部材）である。この図では、白い丸印でその配置を示している。左右の側面板２に対応して、一対ずつ設けられている。
隣接した面スピーカ１４1〜１４4（枠体１５1〜１５4）がヒンジ２４〜２６により、互い違い（ジグザグ）に折り曲げ可能に相互に連結されている。
このうち、ヒンジ２４、２６は、一般的なヒンジを用いることが可能である。ヒンジ２４は、面スピーカパネル１３1（枠体１５1）の下端面と前面との角部、及び、面スピーカパネル１３2（枠体１５2）の上端面と前面との角部、の両者の間に配置される。ヒンジ２６は、面スピーカパネル１３3（枠体１５3）の下端面と前面との角部、及び、面スピーカパネル１３4（枠体１５4）の上端面と前面との角部、の両者の間に配置される。
【００３３】
これに対し、ヒンジ２５は、面スピーカパネル１３2（枠体１５2）の下端面と背面との角部、及び、面スピーカパネル１３3（枠体１５3）の上端面と背面との角部、の両者の間に配置される。ヒンジ２５は、ヒンジの軸の片側（左又は右の側面板２の側）が延長されて、左右の側面板２に設けられた左右のガイドレール２３の開口部２３ａに挿入されることにより、被案内軸（被案内部材）の機能を兼ねる。
【００３４】
２７は被案内軸（被案内部材）であり、左右の側面板２に対応して、一対ずつ設けられている。この被案内軸２７は、面スピーカパネル１３4（枠体１５4）の下端面と背面との角部に配置されている。被案内軸２７は、ガイドレール２３の開口部２３ａに挿入されている。
２８は回動支持軸であり、左右の側面板２に対応して、一対ずつ設けられている。この回動支持軸２８は、面スピーカパネル１３1（枠体１５1）の上端面と背面との角部に配置されている。回動支持軸２８の軸端は、左又は右側のガイドレール２３の開口部２３ａに挿入され、底面部２３ｄ（図３（ｃ））を貫通することにより、左右の側面板（左脚体及び右脚体）２に対し、直接的に回動可能に軸支されている。
これに代えて、回動支持軸２８は、ガイドレール２３の内部に固定取り付けされた支持部材（図示せず）によりガイドレール２３内で支持されてもよい。
また、回動支持軸２８の軸受部材を棚板２１の底面に設けることにより、回動支持軸２８が左右の側面板（左脚体及び右脚体）２に、間接的に支持される構成にしてもよい。
【００３５】
以上のようにして、一連の面スピーカパネル１３1〜１３4は、その上端部となる、面スピーカパネル１３1（枠体１５1）の上端面が、回動支持軸２８により、左右の側面板（左脚体及び右脚体）２の間の上部位置に支持される。
また、一連の面スピーカパネル１３1〜１３4は、ヒンジ２４〜２６、及び、被案内軸２７がガイドレール（案内部材）２３により移動規制されつつ、面スピーカパネル１３4（枠体１５4）の下端部を自由端として、図２（ａ）、図２（ｂ）、図２（ｃ）に示した形態間を変化する。
【００３６】
図２（ａ）においては、掛止部１６の係止片１６ａを切り欠き１１ｂに差し込むことにより保持が強固になる。
図２（ｂ）に示されるように、ヒンジ１６ｂを半回転させ、図２（ｃ）において、掛止部１６の係止片１６ａを面スピーカパネル１３1（枠体１５1）の上端面に設けた溝３１に差し込んで係合させることにより折り畳み形態が保持される。これに代えて、棚板２１の底面に、係止片１６ａを差し込む係着部を設けてもよい。
【００３７】
なお、図２（ａ）、図２（ｂ）に図示した掛止部１６は、図示の長さが短いため、図２（ｃ）のように、係止片１６ａを溝３１に係着させることができない。面スピーカパネル１３1〜１３4はその厚みを図示の厚みよりも薄くできるから、掛止部１６が短くても、その係止片１６ａを溝３１に差し込むことができる。
また、掛止部１６とは別体のものとして、溝３１に係着する掛止部を面スピーカパネル１３4の下端面に設けてもよい。
図示のように棚板２１の底面の背面板２２に近い側に永久磁石２９を設け、一方、面スピーカパネル１３1の背面に鉄板３０を設けてもよい。折り畳み時に、鉄板３０が永久磁石２９に吸引される。この吸引力により、枠体１５1が後方に傾きがちになるのを防止することができる。
【００３８】
一方、図２（ｂ）に示す折れ曲がり形態を保持したい場合、掛止部１６では保持できない。
折れ曲がりを保持する形態は、ガイドレール（案内部材）２３に対するヒンジ２５、被案内軸２７の結合位置を保持させることにより実現される。ガイドレール２３に、中間係止部３３，３４を設けておき、ヒンジ２５、被案内軸２７の軸端がこの中間係止部３３，３４の位置に来たとき、一時的に係止されるようにする。強い力を加えて、面スピーカパネル１３1〜１３4を引き上げたり引き下げたりすれば、係止状態が解除される。
【００３９】
上述した中間係止部３３，３４では、ガイドレール２３の底面部２３ｄを切り欠き、ここに、曲げ加工された帯状の板バネが、ガイドレール２３の内部に突出するように取り付けておく。板バネの中間部は、ヒンジ２５、被案内軸２７の軸端を係止するための凹部となっており、仮固定位置（中間安定位置）を形成する。この凹部の上方側及び下方側に山部があり、この山部は、ヒンジ２５、被案内軸２７の軸端を弾性で押圧するように突出する。ヒンジ２５、被案内軸２７の軸端は、山部を超えて凹部に入り込むことにより移動が阻止される。山部は、なめらかに傾斜しているので、ユーザが面スピーカパネル１３1〜１３4に余分に力を加えれば、再び山部を超えることにより移動可能になる。
【００４０】
あるいは、隣接する面スピーカパネル１３2（枠体１５2）と面スピーカパネル１３3（枠体１５3）とを相互に連結する角度を保持する機能を、ヒンジ２５に持たせたり、ヒンジ２４とヒンジ２６に連結角度保持機能を持たせることによっても、図２（ｂ）に示す形態の保持が実現される。
【００４１】
図３は、図１に示した実施形態におけるヒンジの取付構造を示す第２の説明図である。
図３（ａ）は、図２（ａ）に示した左側の側面板２の切断線X-Xにおいて、矢印方向を見たときの平面図であって、ヒンジ２４の構成例を示し、側面板２及びガイドレール２３については水平断面図を示している。図３（ｂ）は、図３（ａ）に示した部分の正面図である。右側の側面板２についても同様な構造が左右対称で設けられている。
図３（ｃ）は、図２（ａ）に示した切断線Y-Yにおいて、矢印方向を見たときの平面図であって、ヒンジ２５の構成例を示し、側面板２については水平断面図を示している。図３（ｄ）は、図３（ｃ）に示した部分の正面図である。
図中、図１、図２と同様な部分には同じ符号を付している。
【００４２】
図３（ａ），図３（ｂ）に示すヒンジ２４は、羽根となる平板４２，４４と軸４３を備える。第２の面スピーカパネル１３2（枠体１５2）の上端面と前面との角部に、段差面となる溝４１が形成され、ネジ部材４５により平板４２がねじ止めされている。一方、一点鎖線で示す平板４４は、第１の面スピーカパネル１３1（枠体１５2）の下端面にねじ止めされている。
平板４２，４４には、管状部分が互い違いに形成され、管状部分に軸４３が挿通され、左右の端部４３ａ，４３ｂが抜け止めされることにより、軸４３を中心に平板４２，４３が回動可能となり、第２の面スピーカパネル１３2（枠体１５2）と第１の面スピーカパネル１３1（枠体１５1）とが、相対的に回動可能となる。
軸４３の径を大きくしたり、軸４３に摩擦係数の大きな材料を嵌め込むことにより、平板４２，４４の管状部分と軸４３との間の摩擦力が大きくなるようにすることができる。このようにすれば、ヒンジ２４の連結角度を保持する作用を奏する。
【００４３】
図３（ｃ），図３（ｄ）に示すヒンジ２５は、平板４７，４９と軸４８を備える。第３の面スピーカパネル１３3（枠体１５3）の上端面と背面との角部に、段差面となる溝４６が形成され、ネジ部材５１に平板４７がねじ止めされている。一方、一点鎖線で示す平板４９は、第２の面スピーカパネル１３2（枠体１５2）の下端面にねじ止めされている。
平板４７，４９には、管状部分が互い違いに形成され、管状部分に軸４８が挿通され、端部４８ａが抜け止めされる。一方、軸の他端部４８ｂは、平板４７，４９の図示左端を超えて、ガイドレール２３の開口部２３ａに挿入される。
【００４４】
図示のガイドレール２３は、開口部２３ａの両縁部２３ｂが両側面部２３ｃに連なり、両側面部２３ｃが底面部２３ｄに連なる形状であり、開口部２３ａの幅は両側面部２３ｃの幅よりも狭い。
軸４８の他端部４８ｂの直径を、開口部２３ａの幅よりも大きくすることにより、軸の他端部４８ｂは抜け止めされる。
軸４８の他端部４８ｂと両側面部２３ｃとの摩擦力を大きくしたり、軸４８とガイドレール２３との間の摩擦力を大きくしたりすれば、ヒンジ２５の結合位置を保持する作用を奏する。
なお、図２に示した被案内軸２７は、図３（ｃ），図３（ｄ）に示したヒンジ２５の構成のうち、軸４８と平板４９とを用いることにより実現できる。また、図２に示した回動支持軸２８は、平板４７と軸４８により実現できる。ただし、ガイドレール２３の内部において、軸４８の他端部４８ｂを図示しない支持部材により支持する。
【００４５】
図４は、図１に示した実施形態における面スピーカ１４1〜１４4の一具体例である、柔軟性を有する面スピーカ６０の構造図である。
図４（ａ）は面スピーカ３０の積層構造を開いて見せた模式図、図４（ｂ）は面スピーカ６０の部分平面図、図４（ｃ）は面スピーカ６０の部分断面図、図４（ｄ）は面スピーカ６０の他の例を示す部分断面図である。
【００４６】
まず、積層構造の主要部を説明する。
図４（ａ）〜図４（ｃ）において、音響透過性を有する第１の固定電極シート６２と音響透過性を有する第２の固定電極シート６６との間に、音響透過性を有する第1の絶縁性シート６３と音響透過性を有する第２の絶縁性シート６５とを介して、特に薄くて柔軟性を有する振動電極シート６４が積層配置されている。
第１の絶縁性シート６３、第２の絶縁性シート６５は、薄くて柔軟性がある緩衝材（クッション材）である。また、上述した第１の固定電極シート６２、第２の固定電極シート６６も、薄くて柔軟性がある。
振動電極シート（振動膜）６４の前面から出力された音は、第1の絶縁性シート６３、第１の固定電極シート６２を透過し、この静電型スピーカの前面から放出されるとともに、振動電極シート６４の背面から出力された音は、第２の絶縁性シート６５、第２の固定電極シート６６を透過し、この静電型スピーカの背面から放出される。
【００４７】
６１は音響透過性を有する第３の絶縁性シート、６７は音響透過性を有する第４の絶縁性シートであって、これらは、静電型スピーカの背面を保護したり防水したりするとともに、感電を防止するためのカバーでもある。これらも柔軟性がある。
従って、この面スピーカ６０は、全体としても、柔軟性のある薄型フレキシブル（flexible）静電型スピーカである。
上述した振動電極シート６４を除き、他の第１の固定電極シート６２、第２の固定電極シート６６、第1の絶縁性シート６３、第２の絶縁性シート６５、第３の絶縁性シート６１、第４の絶縁性シート６７は、通気性を有している。なお、第３の絶縁性シート６１、第４の絶縁性シート６７は、省略可能である。
【００４８】
６８ａ〜６８ｅ，６９ａ〜６９ｅは、振動電極シート６４を、第1の絶縁性シート６３、第２の絶縁性シート６５により、部分的に支持するための接着層であって、その幅は狭く、例えば、4〜10［mm］であり、柔軟性があり、その厚みは薄く、例えば、0.1〜0.5［mm］である。図示の例において接着層はテープ状であり、具体的には両面接着テープを使用している。
振動電極シート６４は、接着層６８ａ〜６８ｅ，６９ａ〜６９ｅにより間隔をあけて支持される。
この接着層６８ａ〜６８ｅ，６９ａ〜６９ｅにより、振動電極シート６４は、接着層６８ａ〜６８ｅ，６９ａ〜６９ｅのない領域で、振動電極シート６４に対し、第1の絶縁性シート６３との間、及び、第２の絶縁性シート６５との間が僅かに離間して支持される。
【００４９】
振動電極シート６４、第1の絶縁性シート６３、第２の絶縁性シート６５は柔軟性を有するため、接触していても問題ない。第1の絶縁性シート６３、第２の絶縁性シート６５は、振動電極シート６４を支持するとともに、振動電極シート６４に適度な弾性応力を付与する。
接着層６８ａ〜６８ｅ，６９ａ〜６９ｅは、静電型の面スピーカにとって必須のものではない。しかし、振動電極シート６４は、緩衝作用のある第1の絶縁性シート６３、第２の絶縁性シート６５との間で相互作用を及ぼし合いながら、これらと一体となって振動する。
従って、接着層６８，６９は、スペーサというよりも、振動電極シート６４と第1の絶縁性シート６３、第２の絶縁性シート６５との相互作用を安定させる機能がある。接着層６８，６９は、また、面スピーカ６０の全体を折り曲げたときに、多層状に形成された積層シートの各層が破損しないようにしたり、ずれて皺ができないようにしたりする役目を果たす。
【００５０】
図４（ｃ）において、振動電極シート６４は、接着層６８ａ〜６８ｅにより、第1の絶縁性シート６３に等間隔の第１の支持位置で支持されるとともに、接着層６９ａ〜６９ｅにより、第２の絶縁性シート６５に同じ第１の支持位置で支持される。第１の支持位置の間隔は、1［cm］〜10［cm］とし、試作品では3.6［cm］とした。
図４（ｄ）において、振動電極シート６４は、接着層６８ｆ，６８ｇにより、第１の絶縁性シート６３に等間隔の第１の支持位置で支持されるとともに、接着層６９ｆ，６９ｇにより、第２の絶縁性シート６５に等間隔の第２の支持位置で支持される。第１の支持位置と第２の第１の支持位置とは交互に配置されるので、振動電極シート６４は、交互に支持される。
【００５１】
なお、図４（ｂ），図４（ｃ）に示したように、面スピーカ６０の端部（図示右端部）は、接着層６８ｅ，６９ｅ，６８ｈ，６９ｈで支持することが好ましい。面スピーカ６０の周縁部において、各シートの層間を、接着層６８ｅ，６９ｅ，６８ｈ，６９ｈと同様な接着層（両面接着テープ）で相互に接着したり、接着剤を塗布したりして、層が離れないようにする。面スピーカ６０の周縁部は、縫合したり、合成樹脂でまとめたり、図示しない枠体に取り付けられたりする。
【００５２】
上述した振動電極シート６４は、例えば、ポリエチレンテレフタレート（PET）又はポリプロピレン（PP）等の、合成樹脂薄膜の両面又は片面に、アルミニウム等の導電性を有する金属を蒸着したり、導電性塗料を塗布したりしたものであり、その厚さは数［μm］〜数十［μm］である。
上述した第１の固定電極シート６２、第２の固定電極シート６６は、ポリエチレンテレフタレートの片面又は両面に、アルミニウム等の導電性を有する金属を蒸着したり、導電性塗料を塗布したりして、その厚みを貫通する多数の貫通孔６２ａ，６６ａが形成されたパンチングメタルである。この試作品では、厚さが0.5［mm］である。
第１の固定電極シート６２、第２の固定電極シート６６は、パンチングメタルに代えて、金網を用いてもよいし、不織布にアルミニウム蒸着をしたものを用いてもよい。後者の場合、第３の絶縁性シート６１と第１の固定電極シート６２とを一体化し、第４の絶縁性シート６７と第２の固定電極シート６６とを一体化することができる。
上述した第１の絶縁性シート６３、第２の絶縁性シート６５は、例えば、発泡合成樹脂や不織布である。
上述した第３の絶縁性シート６１、第４の絶縁性シート６７も、例えば、発泡合成樹脂や不織布であるが、材料選択の自由度が大きい。
【００５３】
図５は、図４に示した柔軟性を有する静電型の面スピーカの第２の具体例を示す部分平面図である。
先の図４（ｂ）においては、接着層６８ａ〜６８ｅ，６９ａ〜６９ｅを図示縦方向に並べて互いに平行配置していた。図５においては、加えて、接着層７１ａ，７１ｂ，７１ｃを、図示横方向に並べて互いに平行配置したものである。
図示の接着層７１ａ，７１ｂは、接着層６８ａ〜６８ｄ，６９ａ〜６９ｄと同じ間隔で配置されている。
上述した縦方向、横方向に配置する２種の接着層に代えて、１枚の格子状接着層を用いれば、接着層の厚みが均一になる。
この面スピーカ７０の積層断面構造は、接着層の配置を除けば図４（ｃ）、図４（ｄ）と同じであるので図示を省略する。
【００５４】
図４、図５に示した例では、接着層６８ａ〜６８ｈ、６９ａ〜６９ｈ、７１ａ〜７１ｃにより、振動電極シート６４と第1の絶縁性シート６３、振動電極シート６４と第２の絶縁性シート６５が接着されていた。
これらに加えて、第３の絶縁性シート６１と第１の固定電極シート６２との層間、第１の固定電極シート６２と第1の絶縁性シート６３との層間、第２の絶縁性シート６５と第２の固定電極シート６６との層間、第２の固定電極シート６６と第４の絶縁性シート６７との層間のうち、任意の層間を、図示しない接着層（両面接着テープ）で接着してもよい。特に、面スピーカ４０の周縁部においては、全ての層間を接着層（両面接着テープ）で接着してもよい。
【００５５】
このようにすることにより、積層体としての一体性が増し、層間に隙間ができたり、層間がずれたりしない。図示しない両面接着テープによる接着位置は、図４（ｃ），図４（ｄ）、図５に示す接着層６８ａ〜６８ｈ、６９ａ〜６９ｈ、７１ａ〜７１ｃの支持位置と一致させることが、音響透過率を下げないようにする点で望ましい。
しかし、層間によって、接着位置を異ならせてもよい。また、層間によって、縦方向に並べる１次元平行配置と、これに直交する横方向に並べる１次元平行配置の選択を変えたりすることができる。
【００５６】
図６は、図４に示した柔軟性を有する静電型の面スピーカの第３の具体例を示す部分平面図である。
この具体例は、図４に示した積層断面構造を有した面スピーカ６０を1ユニットとし、複数のユニットを、間隔をあけて配置したものを、１つの面スピーカ８０Ａ又は８０Ｂとして形成したものである。
すなわち、面スピーカ８０Ａ，８０Ｂは、複数のユニットと、これら複数のユニットのうち隣接するユニット同士を連結する連接部に区分された積層シートである。
図６（ａ）においては、複数の面スピーカユニットを１次元配置し、図６（ｂ）においては、複数の面スピーカユニットを２次元配置（縦横方向）している。
【００５７】
図６（ａ）において、静電型の面スピーカユニット８１1〜８１5は、図４（ｃ）又は図４（ｄ）に示した積層断面構造を有し、面スピーカ８０Ａの振動面となる。これに対し、スピーカユニットの連接部８２の領域においては、図４（ｃ）又は図４（ｄ）に示した導電層（第１の固定電極シート６２、振動電極シート６４、第２の固定電極シート６６）がなく、絶縁層（第３の絶縁性シート６１、第1の絶縁性シート６３、第２の絶縁性シート６５、第４の絶縁性シート６７）のみを残しており、これらが連接部８２を構成する。
【００５８】
連接部８２の領域においては、さらに、第1の絶縁性シート６３、第２の絶縁性シート６５をなくしてもよい。この場合、まず、各面スピーカユニット８１1〜８１5として、それぞれ、第１の固定電極シート６２、第1の絶縁性シート６３、振動電極シート６４、第２の絶縁性シート６５、第２の固定電極シート６６、及び、接着層６８ａ〜６８ｈ、６９ａ〜６９ｈ、７１ａ〜７１ｃの積層構造を予め作成しておき、これらの面スピーカユニット８１1〜８１5の上面と下面とを、第３の絶縁性シート６１、第４の絶縁性シート６７で覆うことにより、面スピーカ８０Ａを形成することができる。この場合、第３の絶縁性シート６１、第４の絶縁性シート６７が連接部８２を構成する。
このような工程で製造すれば、箇々の面スピーカユニット８１1〜８１5の面積が小さくても、広い面積の面スピーカ８０Ａ，８０Ｂが得られる。
【００５９】
連接部８２においては、第１，第２の固定電極シート６２，６６の層及び振動電極シート６４の層が存在しないので、この連接部８２で、折り曲げたり折り畳んだりしても、電極シートが傷まない。
ここで、連接部８２に存在する絶縁性シートの層は、隣接するユニットにおける同じ層から連続して存在する。言い換えれば、これらの層は、全てのユニット及び連接部に共通の連続した層である。そのため、連接部を設けるために、別の連結部材を設けたり、この別の連結部材を隣接するユニットと縫合や接着等により結合する工程が不要である。
【００６０】
図６（ｂ）において、各面スピーカユニット８３1〜８３4は、図６（ａ）に示した面スピーカユニット８１1〜８１5と同様の積層構造を有し、面スピーカ８０Ｂの振動面となる。この具体例では、面スピーカユニット８３1〜８３4は、横方向が連接部８４ａにより連接され、縦方向が連接部８４ｂにより連接されている。連接部８４ａ，８４ｂにおける積層構造は、図６（ａ）に示した連接部８２と同様である。
さらに、静電型スピーカユニット８３1〜８３4の周縁部８４ｃも、図示しない枠体を取り付ける領域とするために、連接部８４ａ，８４ｂと同じく、導電層のない積層構造にしている。
【００６１】
上述した図６（ａ）の面スピーカユニット８１1〜８１5、図６（ｂ）の面スピーカユニット８３1〜８３4は、各ユニットの各電極にリード線を接続し、これらのリード線をユニット毎に独立して駆動回路に接続する。又は、連接部８２、８４ａ，８４ｂにおいて、隣接するユニットの対応する電極同士を短いリード線でつなぎ、各ユニットの各電極を共通のリード線で駆動回路に接続してもよい。
【００６２】
図７は、図１に示した実施形態における電子鍵盤楽器の機能ブロック図である。
図1に示した鍵盤蓋５に隠れた鍵盤部９０における各白鍵，黒鍵の操作及びペダル１２の操作は、検出部９１により検出され、検出信号が制御部９２に出力される。制御部９２は、演奏データを音源部９３に出力する。この演奏データには、押鍵及び離鍵のタイミング、押鍵又は離鍵された鍵に対応するノートナンバ（音高）、ベロシティ（押鍵速度）、アフタタッチ量等のデータが含まれている。また、操作されたペダル１２の種別、操作量のデータも出力される。上述した制御部９２は、機器組み込みプログラムをCPUに実行させることにより実現される。
【００６３】
図１に示した電子鍵盤楽器には、鍵盤蓋５の下に、鍵盤部９０とともに操作パネルが設置され、ここに複数の操作子（ボタン、ノブ）９４が配置されている。操作子９４としては、例えば、楽器音色等の設定操作用スイッチや、自動演奏のための選曲、再生開始や再生停止等を制御するスイッチがある。
操作子９４の操作は、検出部９１により検出され、制御部９２に出力され、制御部９２では、各操作子に割り付けられた機能を、電子鍵盤楽器に設定する。音源部９３に対する設定の場合は、音源部９３に音源設定データを出力する。
【００６４】
上述した電子鍵盤楽器は、自動演奏部９５と曲データ記憶部９６が内蔵されている。自動演奏部９５は、操作子の操作により、曲データ記憶部９６に記憶された曲を読出し、MIDI（Musical Instrument Digital Interface）形式の演奏データを制御部９２に出力する。上述した自動演奏部９５も、機器組み込みプログラムをCPUに実行させることにより実現される。
MIDIインタフェース９７は、パーソナルコンピュータや他の電子楽器から供給されるMIDI形式の演奏データを、背面板２２（図２）に設けられた端子から入力し、制御部９２に出力する。
【００６５】
音源部９３は、制御部９２から入力された演奏データに応じて、音色等の音源設定や、押鍵操作に応じた音高と強さのステレオ（L，Rの2チャンネル）の楽音信号を生成し、増幅器９８L，９８R，１００L、１０１R、及び、混合部（ミキサー）１０２に出力する。
図示の音源部９３は、１つの楽音の発生用に、ステレオ用の左ソース、右ソースを使用する。これらの音源ソースは、図示しない音源波形メモリに記憶されている。
また、音源部９３は、モノラルソースを使用するとし、操作された鍵の帯域等に応じて、左右の音量比を制御（音像定位制御）するものでもよい。
【００６６】
増幅器９８L，９８Rの出力は、それぞれ、ヘッドフォン用の外部出力端子９９L，９９Rに出力される。増幅器１００Lの出力は、図1に示したコーンスピーカ１８に出力され、増幅器１００Rの出力はコーンスピーカ１９に出力される。
混合部１０１は、音源部９３のステレオ出力を混合し、増幅器１０２に出力する。増幅器１０２の出力は、昇圧トランス１０３の１次コイルに出力される。昇圧トランス１０３の２次コイルには、図1に示した面スピーカ１４1〜１４4を一例とする静電型スピーカが接続される。昇圧トランス１０３の２次コイルは、中点タップCTを有し、中点タップCTには、高圧のバイアス直流電源１０４と高抵抗の抵抗器１０５との直列回路が接続されている。上述した２次コイルの両端が端子１０６，１０７、抵抗器１０５の他端が端子１０８となる。
【００６７】
端子１０６は、図４（ｃ），図４（ｄ）に示した第１の固定電極シート６２に接続され、端子１０７は、第２の固定電極シート６６に接続され、端子１０８は、振動電極シート６４に接続される。
ここで、静電型面スピーカの動作原理を、振動電極シート６４を電位の基準にとって説明する。バイアス直流電源１０４により、第１の固定電極シート６２及び第２の固定電極シート６６は、E0＝数百［V］の負に帯電し、振動電極シート６４と第１の固定電極シート６２との間、及び、振動電極シート６４と第２の固定電極シート６６との間に、互いに逆方向の静電吸引力が発生する。
【００６８】
この状態で、第１の固定電極シート６２及び第１の固定電極シート６６に、逆位相の楽音信号±e［V］（eはE0より十分に小さい値）が印加されると、第１の固定電極シート６２及び第２の固定電極シート６６は、それぞれ、（E0＋e）［V］、（E0−e）［V］で負に帯電する。その結果、振動電極シート６４と第１の固定電極シート６２との電極間、及び、振動電極シート６４と第２の固定電極シート６６との間の静電吸引力のバランスがくずれ、結果として、楽音信号e［V］に比例した静電吸引力が発生し、振動電極シート６４は、楽音信号e［V］の正負に応じてプッシュプル駆動される。
【００６９】
上述した説明では、増幅器１００L，１００Rの出力を直接にコーンスピーカ１８，１９へ出力していた。コーンスピーカ１８，１９は、面スピーカ１４1〜１４4の低周波数側の再生出力低下を補うために用いる。そのため、通常は、ウーファスピーカと呼ばれるものを使用する。そこで、コーンスピーカ１８，１９の周波数特性に応じた楽音信号を供給するために、低域通過型フィルタ回路を、増幅器１００L，１００Rの入力側又は出力側に挿入することが望ましい。
同様に、増幅器１０２の入力側又は出力側に、面スピーカ１４1〜１４4の周波数特性に応じた楽音信号を昇圧トランス１０３に供給するための高域、又は、中高域通過型フィルタ回路を挿入してもよい。
上述したフィルタ回路の特性は、コーンスピーカ１８，１９から出力される音と面スピーカ１４1〜１４4から出力される音とが、周波数特性上においてバランスするように設計する。
【００７０】
さらにまた、高域再生用のツィータスピーカ（例えば、ドーム型ダイナミックスピーカ）を設け、増幅器１００L，１００Rはツィータスピーカにも楽音信号を分配してもよい。面スピーカ１４1〜１４4とツィータスピーカとを選択的に切替えていずれか一方を使用するためのスイッチを設けてもよい。
図示を省略したが、音源部９３に、面スピーカ１４1〜１４4に専用のソースが用意されていてもよい。この場合、この専用のソースに基づく楽音信号を、増幅器１０２で増幅し、昇圧トランス１０３に供給する。
上述した面スピーカ１４1〜１４4を、左右のチャンネルに分けた場合、音源部９３からステレオ信号の供給を受けて、混合部１０１にて混合することなく、増幅し、左右のチャンネルの昇圧トランスに出力する。
【００７１】
図８は、本願発明の第２の実施形態である、アップライトピアノ型電子鍵盤楽器の外観図である。
図８（ａ）は斜視図、図８（ｂ）は図８（ａ）に示す面スピーカパネル１１１の長手方向中央の垂直断面図、図８（ｃ）は面スピーカパネル１１１の変形例の長手方向中央の垂直断面図である。
図中、図１と同様な部分には同じ符号を付して説明を省略する。
【００７２】
図８（ａ）において、面スピーカパネル１１１は、電子鍵盤楽器の左右の側面板（左脚体及び右脚体）２の間に、その面スピーカ１１２が面一を保持する形態で配設される。
図８（ｂ）に示す面スピーカパネル１１１は、矩形の枠体１１３を矩形の面スピーカ１１２の前面にあてがうことにより、矩形の面スピーカ１１２が矩形の枠体１１３の背面を覆うものである。これに代えて、面スピーカパネル１１１は、図８（ｃ）に示すように、矩形の面スピーカ１１２の前面及び背面の周縁部が、１対の矩形の枠体１１３に挟まれたものでもよい。
なお、図８（ｂ）、図８（ｃ）のいずれにおいても、面スピーカ１１２の周縁部には、固定電極や振動電極を設けないようにすることが望ましい。また、枠体１１３として、面スピーカ１１２と柔軟性がさほど変わらない、軟質の合成樹脂製のものを用いる。
【００７３】
枠体１１３の下端部に、図示の例では、下端部の中央及び左右に結合部材１１４が固着されている。一方、ペダルユニット１１の前面には第１の被結合部材１１５が設けられている。第１の被結合部材１１５は、面スピーカパネル１１１の下端部、具体的には結合部材１１４に結合するための部材である。図示の第１の被結合部材１１５は、例えば、フック、孔、溝などであって、突起片、貫通孔、リング等の結合部材１１４を掛止めする部品である。結合部材１１４を永久磁石とし、被結合部材１１５を鉄製の部材としてもよい。
面スピーカパネル１１１は、結合部材１１４が第１の被結合部材１１５に掛止めされることにより、その面スピーカ１１２が面一の状態から形態が変わらない。
【００７４】
図８（ｂ）、図８（ｃ）において、１１６は回動支持軸であって、枠体１１３の上端部に設けられ、左右の側面板（左脚体及び右脚体）２の軸受穴１１７（図９（ａ））に回動可能に支持されている。
従って、面スピーカパネル１１１は、その上端部が左右の側面板（左脚体及び右脚体）２の間の上部位置に固定され、その下端部が自由端となる。
なお、面スピーカパネル１１１の上端部は、回動しない単なる固定軸によって、左右の側面板（左脚体及び右脚体）２の間の上部位置に固定されていたり、棚板２１の下面に固定されていたりしてもよい。
【００７５】
図９は、図８に示した実施形態における面スピーカ取付構造を示す説明図である。
図９（ａ）〜図９（ｃ）は、図８において、右側の側面板２を除去したときに、右側面から見える、面スピーカパネル１１１と左側の側面板２とを図示している。
図面を簡単化するため、面スピーカパネル１１１における面スピーカ１１２及び枠体１１３の表示を省略する。
図中、図１、図２、図８と同様な部分には同じ符号を付している。
図９（ａ）は面スピーカパネル１１１が、面一を保持する形態を示す説明図である。
図９（ｂ）、図９（ｃ）は、面スピーカパネル１１１が折れ曲がりを保持する第１，第２の形態を示す説明図である。
ユーザが面スピーカパネル１１１を手動操作することにより、上述した３種類の保持形態間で形態が変化する。
演奏者による演奏や自動演奏で楽音を発生させるとき、面スピーカパネル１１１（面スピーカ１１２）は、図９（ａ）〜図９（ｃ）に示すいずれの形態であってもよい。
【００７６】
１１６は回動支持軸であり、面スピーカパネル１１１（枠体１１３）の上端面に配置され、左右の側面板（左脚体及び右脚体）２に設けられた軸受穴１１７に挿入されることにより、左右の側面板２に対し、回動可能に支持される。
１１８は、面スピーカパネル１１１を沿わせて折り曲げる案内部材であって、図示の例では、断面が円形の棒であり、左右の側面板２の間に架設される。
１１９は第２の被結合部材であり、１２０はこの被結合部材１１９の支持体であって、図示の例では、断面が矩形の棒であり、左右の側面板２の間に架設されている。
１２１は、第３の被結合部材であり、図示の例では、背面板２２の裏面に設けられる。
【００７７】
図９（ａ）において、面スピーカパネル１１１は、その面スピーカ１１２を、左右の側面板（左脚体及び前記右脚体）２の間に面一を保持する形態で配設されている。
この形態で面スピーカ１１２を駆動すると、面スピーカ１１２の前面から、電子鍵盤楽器の前方に平面波が出力される。同時に、面スピーカ１１２の背面からも、電子鍵盤楽器の後方に平面波が出力される。
【００７８】
ここで、ユーザが、結合部材１１４と第１の被結合部材１１５との結合を外し、面スピーカパネル１１１の下端部を、案内部材１１８の向こう側（奥側）に通す。
図９（ｂ）に示すように、ユーザが、案内部材１１８に沿って折れ曲がった面スピーカパネル１１１の結合部材１１４を第２の被結合部材１１９に結合することにより、面スピーカパネル１１１は、折れ曲がりを保持する形態に変化する。
この形態で面スピーカ１１２を駆動すると、案内部材１１８に当接する位置を境に、面スピーカ１１２のC1の部分の前面から発生する楽音が、演奏者の耳１２２により効果的に受聴される。
【００７９】
また、図９（ａ）に示す状態から、ユーザが、結合部材１１４と第１の被結合部材１１５との結合を外し、面スピーカパネル１１１の下端部を、案内部材１１８の向こう側に通すことなく、案内部材１１８に沿って折れ曲がった面スピーカパネル１１１の結合部材１１４を第３の被結合部材１２１に結合することにより、面スピーカパネル１１１は、図９（ｃ）に示す折れ曲がりを保持する形態に変化する。
この場合、面スピーカ１１２のC1の部分の背面から発生する楽音が、電子鍵盤楽器の後方にいる聴衆に効果的に直達される。
【００８０】
図示の例では、折り曲げが１箇所であるが、複数の案内部材を用いて、複数箇所で折り曲げる場合は、図１に示した面スピーカパネル１３1〜１３4と同様に、面スピーカパネル１１１（面スピーカ１１２）をジグザグに折り曲げたり、湾曲させたりすることができる。その際、電子鍵盤楽器の前方（演奏者のいる側）を凸面にすれば、面スピーカ１１２の前面から出力される音の指向角が拡がる。一方、電子鍵盤楽器の前方（演奏者のいる側）を凹面にすれば、面スピーカ１１２の前面から出力される音が集束する。図９（ｂ）において、面スピーカ１１２のC1の部分が、自身の撓みのため、凹面となっている。この場合、面スピーカ１１２のC1の部分から出力される楽音が、演奏者の耳の位置１２２で、光に例えて言えば、凸状の円柱レンズのような集束効果が得られる。
【００８１】
図９（ｃ）の形態は、面スピーカ１１２の不使用時に、面スピーカパネル１１１をつり上げて収容する形態とすることもできる。
さらに、面スピーカパネル１１１を折り曲げる角度を１８０度とすることにより、畳み込まれた状態を保持する形態にすることもできる。この畳み込まれた状態は、折れ曲がる形態の極限の形態である。
図示を省略するが、図１、図２に示した一連の面スピーカパネル１３1〜１３4（面スピーカ１４1〜１４4）を、ヒンジ２４〜２６，被案内軸２７を、全て、面スピーカパネル１３1〜１３4の前面側に配置しなおす。図９の案内部材１１８のような案内部材を１又は複数個用い、かつ、支持体１２０、結合部材１１４、第２の被結合部材１１９を用いることにより、上述した面スピーカ１４1〜１４4を、前方に凹となる湾曲面スピーカとすることができる。
【００８２】
図１０は、図８、図９に示した実施形態に適用される柔軟性を有する静電型の面スピーカの具体例を示す平面図である。
図１０（ａ）は、面スピーカの平面図であって、面スピーカ内の固定電極シートの配置を加えたものである。図１０（ｂ）は、図１０（ａ）に面スピーカ内の導電性接着層の配置を加えた平面図である。
図１０（ｃ），（ｄ），（ｅ）は、それぞれ、図１０（ｂ）の矢視X-X，Y-Y，Z-Z方向を見た断面図である。図中、図４と同様な部分には同じ符号を付している。
この面スピーカ１３０は、モノラル（単チャンネル）用に、左右に２つの面スピーカユニット１３０A，１３０Bが中央の連接部１３０Cにおいて折り曲げ可能に配置されたものである。ほぼ左右対称構造であるため、左右の対称構成には同じ符号を付し、左側の面スピーカユニット１３０Aについてのみ説明する。
面スピーカユニット１３０A，１３０Bの間の領域が連接部１３０Cであり、面スピーカユニット１３０A，１３０Bを合わせたものの周縁部は、図示しない枠体を取り付ける領域となる。
【００８３】
図１０（ｂ）、図１０（ｃ）に示す１４１は、帯状の第１の導電性接着層であり、第１の固定電極シート６２と第３の絶縁性シート６１との両者の層間にあって、面スピーカ１３０の上縁の左半分に延設され、両者を接着する。導電性接着層は、例えば、導電性粘着剤自体や、金属箔テープの両面に導電性粘着剤を塗布したもので実現される。
図１０（ａ）、図１０（ｂ）に示す１３２は、第１のフレキシブルプリント基板（Flexible Printed Circuit Board、以下FPCという）であり、絶縁フィルムの片面に導体箔（図示されない）が被着されたものである。
第１のFPC１３２は、第１の導電性接着層１３１と同一の層間にあって、面スピーカユニット１３０Aの上縁の一端部に設けられる。第１の導電性接着層１３１の一端部１３１ａと第１のFPC１３２の一端部１３２ａにおける導体箔とは、面スピーカユニット１３０Aの上縁の一部において重なり合い接着される。
第１のFPC１３２の他端部は、幅狭の第１の接続端子１３２ｂとなる。第１の接続端子１３２ｂの裏面にも導体箔が被着されている。第１の接続端子１３２ｂには入力線１４１の一端を挿入するための孔が開いており、挿通された入力線１４１の先端は、導体箔に半田付けされる。
【００８４】
図１０（ｂ）に示す１３３は、帯状の第２の導電性接着層であり、振動電極シート６４と第１の絶縁性シート６３との両者の層間にあって、面スピーカユニット１３０Aの左縁を縦方向に延設され、向きを変えて下縁の一部に至り、両者を接着する。
１３４は第２のFPCであり、絶縁フィルムの裏面に導体箔（図示せず）が被着されたものである。第２のFPC１３４は、第２の導電性接着層１３３と同一の層間にあって、面スピーカユニット１３０Aの左縁の上部に設けられる。第２の導電性接着層１３３の一端部１３３ａと第２のFPC１３４の一端部１３４ａにおける導体箔とは、面スピーカユニット１３０Aの左縁の一部において重なり合い接着される。
第２のFPC１３４の他端部は、幅狭の第２の接続端子１３４ｂとなる。第２の接続端子１３４ｂには、入力線１４２の一端を挿入するための孔が開いており、挿通された入力線１４２の先端は、導体箔に半田付けされる。
【００８５】
１３５は帯状の第３の導電性接着層であり、第２の絶縁性シート６５と第２の固定電極シート６６との両者の層間にあって、面スピーカユニット１３０Aの下縁に延設され、両者を接着する。
１３６は第３のFPCであり、第３の導電性接着層１３５と同じ層間にあって、面スピーカユニット１３０Aの下縁の一部から、方向を変えて左縁（第２の導電性接着層１３３の左側）を縦に延設される。第３の導電性接着層１３５の一端部１３５ａと第３のFPC１３６の一端部１３６ａにおける導体箔（図示せず）は、面スピーカユニット１３０Aの下縁の一部において重なり合い接着される。
第３のFPC１３６の他端部は、幅狭の第３の接続端子１３６ｂとなる。第３の接続端子１３６ｂには、入力線１４３の一端を挿入するための孔が開いており、挿通された入力線１４３の先端は、導体箔に半田付けされる。
【００８６】
図１０（ｂ）、図１０（ｄ）に示すように、連接部１３０Cは、この連接部１３０Cに隣接する面スピーカユニット１３０A，１３０Bの第３の絶縁性シート（前面保護シート）６１、第１の絶縁性シート６３、第２の絶縁性シート６５、第４の絶縁性シート（背面保護シート）６７のそれぞれと一体である、第３の絶縁性シート６１、第１の絶縁性シート６３、第２の絶縁性シート６５、第４の絶縁性シート（背面保護シート）６７を有し、かつ、面スピーカユニット１３０Aと１３０Bの第１の固定電極シート６２、振動電極シート（振動膜）６４、及び、第２の固定電極シート６６を欠如したものである。
なお、連接部１３０Cにおいては、第１の絶縁性シート６３、第２の絶縁性シート６５も欠如していてもよい。
従って、図６に示した連接部８２と同様に、連接部１３０Cに存在する絶縁性シートの層は、左右に隣接するユニット１３０A，１３０Bにおける同じ層から連続して存在し、全てのユニット及び連接部に共通の連続した層である。この連接部１３０Cで折り曲げたり折り畳んだりしても、電極シートが傷まない。振動電極シート（振動膜）６４も、この連接部（折り畳み部）１３０Cに存在しないことになるので、折り曲げ使用時での振動を妨げないメリットもある。
【００８７】
次に、左右の面スピーカユニット１３０Aと１３０Bとの電気的結合構造について説明する。図１０（ｂ）、図１０（ｄ）に示す１３７は、帯状の第４の導電性接着層であり、先に説明した第３の導電性接着層１３３と同様に、振動電極シート６４と第１の絶縁性シート６３との両者の層間にあって、面スピーカユニット１３０Aの右縁を縦方向に延設され、両者を接着する。
右側の面スピーカユニット１３０Bにおいても、上述した第４の導電性接着層１３７と対称配置（面スピーカユニット１３０Bの左縁を縦方向）で同じ符号を付した第４の導電性接着層１３７が設けられている。
１３８は第４のFPCであり、絶縁フィルムの裏面に導体箔（図示せず）が被着され、その一端部１３８ａと他端部１３８ｂとは縦方向に延びた短冊状であり、両者は、縦方向上部において幅狭の連結部により連結された形状である。
第４のFPC１３８は、第４の導電性接着層１３７と同一の層間にあって、面スピーカユニット１３０Aの左縁及び面スピーカユニット１３０Bの右縁の上部に設けられる。左の第４の導電性接着層１３７の一端部１３７ａと第４のFPC１３８の一端部１３８ａにおける導体箔とは、面スピーカユニット１３０Aの右縁の一部において重なり合い接着される。同様に、右の第４の導電性接着層１３７の一端部１３７ａと第４のFPC１３８の他端部１３８ｂにおける導体箔とは、面スピーカユニット１３０Bの左縁の一部において重なり合い接着される。
【００８８】
また、右側の面スピーカユニット１３０Bにおいて、上述した第１の導電性接着層１３１と対称配置（面スピーカユニット１３０Bの上縁）で同じ符号を付した第１の導電性接着層１３１が設けられている。
１３９は第５のFPCであり、絶縁フィルムの裏面に導体箔（図示せず）が被着され、その一端部１３９ａと他端部１３９ｂとは横方向に延びた短冊状であり、両者は、同じ横方向の幅狭の連結部により連結された形状である。
第５のFPC１５３は、第１の導電性接着層１３１と同一の層間にあって、面スピーカユニット１３０A及び面スピーカユニット１３０Bの上縁に設けられる。左の第１の導電性接着層１３１の他端部１３１ｂと第５のFPC１３９の一端部１３９ａにおける導体箔（図示せず）とは、面スピーカユニット１３０Aの上縁の一部において重なり合い接着される。同様に、右の第１の導電性接着層１３１の他端部１３１ｂと第５のFPC１３９の他端部１３９ｂにおける導体箔とは、面スピーカユニット１３０Bの上縁の一部において重なり合い接着される。
【００８９】
右側の面スピーカユニット１３０Bにおいて、上述した第２の導電性接着層１３５と対称配置（面スピーカユニット１３０Bの下縁）で同じ符号を付した第２の導電性接着層１３５が設けられている。
図１０（ｂ）、図１０（ｅ）に示す１４０は第６のFPCであり、絶縁フィルムの裏面に導体箔が被着され、上述した第６のFPC１４０と上下対称の形状をしている。
第６のFPC１４０は、第２の導電性接着層１３５と同一の層間にあって、面スピーカユニット１３０A及び面スピーカユニット１３０Bの下縁に設けられる。左の第２の導電性接着層１３５の他端部１３５ｂと第６のFPC１４０の一端部１４０ａにおける導体箔１４０ｃとは、面スピーカユニット１３０Aの下縁の一部において重なり合い接着される。同様に、右の第２の導電性接着層１３５の他端部１３５ｂと第６のFPC１４０の他端部１４０ｂにおける導体箔とは、面スピーカユニット１３０Bの下縁の一部において重なり合い接着される。
【００９０】
上述した第４〜第６のFPC１３８，１３９，１４０により、面スピーカユニット１３０Aの電極と１３０Bの電極との対応する者同士が電気的に接続される。
面スピーカユニット１３０A，１３０Bの連接部１３０Cにおいては、上述した第４〜第６のFPC１３８，１３９，１４０の幅を狭くすることにより、連接部１３０Cを折り曲げやすくしている。
【００９１】
上述した第１〜第４の導電性接着層１３１，１３３，１３５、１３７、及び、第１〜第６のFPC１３２，１３４，１３６，１３８，１３９，１４０は、面スピーカユニット１３０A、１３０Bの振動を妨げないように、その縁部又は縁部のさらに外側に配置されている。第１〜第３の接続端子１３２ｂ，１３４ｂ，１３６ｂは、いずれも、それぞれの層間において、入力線１４１，１４２，１４３に接続され、入力線１４１，１４２，１４３は、図示の例では、共通のプラグ１４４に接続される。
上述した面スピーカ１３０において、第４〜第６のFPC１３８，１３９，１４０を用いないで、面スピーカユニット１３０Bを、面スピーカユニット１３０Aと対称構造にし、面スピーカユニット１３０Bにも入力線１４１，１４２，１４３を設ければ、面スピーカ１３０がステレオスピーカとなる。
【００９２】
図８，図９に示した面スピーカ１１２として、図１０に示したような、面スピーカユニット１３０A，１３０Bが、連接部１３０Cにより間隔を空けて連設された面スピーカ１３０を採用することができる。
この場合、面スピーカ１３０の上辺を面スピーカ１１２の右辺とし、面スピーカ１３０の左辺を面スピーカ１１２の上辺とし、各辺の長さは、図８に示した電子鍵盤楽器の寸法に応じた値になるように設計する。
さらに、連接部１３０Cの位置を、案内部材１１８に沿う面に形成されるように設計する。
連接部１３０Cは構造上、柔軟性を増すことが容易であるため、案内部材１１８による折り曲げの繰り返しに対して、十分な耐久性を持たせることができる。
【符号の説明】
【００９３】
１…脇側面板、２…側面板、３…前脚、４…ステー、５…鍵盤蓋、６…口棒、７…上前板、８…譜面受、９…天板、１０…譜面板、１１…ペダルユニット、１１ａ…切り欠き、１１ｂ…切り欠き、１１ｃ…窪み、１２…ペダル、１２ｃ…中央のペダル、１３1〜１３4…面スピーカパネル、１４1〜１４4…面スピーカ、１５1〜１５4…枠体、１６…掛止具（フック）、１６ａ…係止片、１６ｂ…ヒンジ、１７…床面、１８，１９…コーンスピーカ、
２１…棚板、２２…背面板、２３…ガイドレール、２３ａ…開口部、２３ｂ…縁部、２３ｃ…側面部、２３ｄ…底面部、２４〜２６…ヒンジ、２７…被案内軸、２８…回動支持軸、２９…永久磁石、３０…鉄板、３１…溝、３２…演奏者の耳、３３，３４…中間係止部、
４１…溝、４２，４４…平板、４３…軸、４３ａ，４３ｂ…端部、４５…ネジ部材、４６…溝、４７，４９…平板、４８…軸、４８ａ…端部、４８ｂ…他端部、５１…ネジ部材、
６０…面スピーカ、６１…第１の絶縁性シート、６２…第１の固定電極シート、６３…第２の絶縁性シート、６２ａ…貫通孔、６４…振動電極シート、６５…第３の絶縁性シート、６６…第２の固定電極シート、６６ａ…貫通孔、６７…第４の絶縁性シート、６８ａ〜６８ｈ，６９ａ〜６９ｈ…接着層、
７０…面スピーカ、７１ａ，７１ｂ，７１ｃ…接着層、８０Ａ…面スピーカ、８０Ｂ…面スピーカ、８１1〜８１5…面スピーカユニット、８２…連接部、８３1〜８３4…面スピーカユニット、８４ａ，８４ｂ…連接部、８４ｃ…周縁部、
９０…鍵盤部、９１…検出部、９２…制御部、９３…音源部、９４…操作子、９５…自動演奏部、９６…曲データ記憶部、９７…インタフェース、９８L，９８R，１００L，１００R…増幅器、９９L，９９R…外部出力端子、１０１…混合部、１０２…増幅器、１０３…昇圧トランス、１０４…バイアス直流電源、１０５…抵抗器、１０６，１０７，１０８…端子、
１１１…面スピーカパネル、１１２…面スピーカ、１１３…枠体、１１４…結合部材、１１５…第１の被結合部材、１１６…回動支持軸、１１７…軸受穴、１１８…案内部材、１１９…第２の被結合部材、１２０…支持体、１２１…第３の被結合部材、１２２…演奏者の耳、
１３０…面スピーカ、１３０A，１３０B…面スピーカユニット、１３０C…連接部、１３１，１３３，１３５，１３７…第１〜第４の導電性接着層、１３１ａ，１３３ａ，１３５ａ，１３７ａ…一端部、１３１ｂ，１３５ｂ…他端部、１３２，１３４，１３６，１３８，１３９，１４０…第１〜第６のFPC（フレキシブルプリント基板）、１３２ａ，１３４ａ，１３６ａ，１３７ａ，１３８ａ，１３９ａ，１４０ａ…一端部、１３２ｂ，１３４ｂ，１３６ｂ…接続端子、１３８ｂ，１３９ｂ，１４０ｂ…他端部、１４０ｃ…導体箔、
１４１，１４２，１４３…入力線、１４４…プラグ
【図１】
0005659617.tif 000002
【図２】
0005659617.tif 000003
【図３】
0005659617.tif 000004
【図４】
0005659617.tif 000005
【図５】
0005659617.tif 000006
【図６】
0005659617.tif 000007
【図７】
0005659617.tif 000008
【図８】
0005659617.tif 000009
【図９】
0005659617.tif 000010
【図１０】
0005659617.tif 000011